(57)【要約】【課題】  洋服やゴルフクラブ等の展示物を吊り下げて展示する展示装置の改良に関し、展示物と吊り下げて保持する支持バーを回転して展示品の向きを変更することである。【課題解決手段】  展示装置が壁若しくは支柱１に取り付けられる水平バー２と、この水平バー２の下側に垂設されるシャフト３と、このシャフト３の外周に回転自在に保持される筒状の回転筒４と、この回転筒４の外周に固定されて展示物を吊り下げる支持バー５と、上記回転筒４の上記シャフト３に対する回転を阻止する回転防止手段とを備え、上記回転筒４を回転して上記支持バー５を任意の方向に向けると共に上記回転防止手段で上記支持バー５の向きを維持することである。【選択図】  図１
2011147597.tif 000002
【特許請求の範囲】
【請求項１】
壁若しくは支柱（１）に取り付けられる水平バー（２）と、この水平バー（２）の下側に垂設されるシャフト（３）と、このシャフト（３）の外周に回転自在に保持される筒状の回転筒（４）と、この回転筒（４）の外周に固定されて展示物を吊り下げる支持バー（５）と、上記回転筒（４）の上記シャフト（３）に対する回転を阻止する回転防止手段とを備え、
上記回転筒（４）を回転して上記支持バー（５）を任意の方向に向けると共に上記回転防止手段で上記支持バー（５）の向きを維持することを特徴とする展示装置。
【請求項２】
上記シャフト（３）は、上記水平バー（２）に固定されるシャフト本体（３０）と、このシャフト本体（３０）の下側に大径に形成されるフランジ部（３１）とを備え、
上記シャフト本体（３０）を上記回転筒（４）内に挿通しながら当該回転筒（４）を上記フランジ部（３１）で下支えすることにより、上記回転筒（４）を回転自在に保持することを特徴とする請求項１に記載の展示装置。
【請求項３】
上記回転防止手段は、上記シャフト（３）のフランジ部（３１）上面に形成されるひとつ若しくは複数の突起（３ａ）と、上記回転筒（４）の下面に設けられ上記突起（３ａ）に係合可能な複数の切欠き（４ａ）とからなり、
上記切欠き（４ａ）の何れかを選択して上記突起（３ａ）を係合することにより、上記支持バー（５）を任意の方向に向けると共に上記支持バー（５）の向きを維持することを特徴とする請求項２に記載の展示装置。
【請求項４】
上記支持バー（５）は、左右一対の支柱（１）（１）の間に架設されてなり、上記各支柱（１）、（１）は、伸縮自在であることを特徴とする請求項１から請求項３の何れかに記載の展示装置。
【請求項５】
上記支持バー（５）は、横方向に連続する板本体（５０）と、この板本体（５０）の上下端部に長手方向に沿って形成されて上記板本体（５０）の厚みよりも厚く形成される上下一対の膨出部（５１）、（５１）とで構成され、
上記両膨出部（５１）、（５１）の外面が半円状に湾曲してなることを特徴とする請求項１から請求項４の何れかに記載の展示装置。
【発明の詳細な説明】
【技術分野】
【０００１】
本発明は、洋服やゴルフクラブ等の展示物を吊り下げて展示する展示装置の改良に関する。
【背景技術】
【０００２】
一般に、洋服やゴルフクラブ等の展示物を吊り下げて展示する展示装置は、店内に設置され、洋服やゴルフクラブ等の物品を見栄え良く陳列する。
【０００３】
現在、上記展示装置としての各種提案があり、例えば、特許文献１には洋服を吊り下げて展示する展示装置たるハンガーラックが開示されている。
【０００４】
この特許文献１に開示のハンガーラックは、キャスターを備えた左右一対の脚部と、各脚部から起立する左右の支柱と、これら支柱の間に架設される水平バーとを備え、洋服をハンガーにかけ上記水平バーに吊り下げて展示するものである。
【先行技術文献】
【特許文献】
【０００５】
【特許文献１】特開平０７−１５６６０３（図１）
【発明の概要】
【発明が解決しようとする課題】
【０００６】
上記従来の展示装置では、機能上特に欠陥があるわけではないが、次のような不具合の改善が望まれている。
【０００７】
即ち、上記従来の展示装置は、水平バーに対してハンガーのフックを垂直に引っ掛けなければならないため、洋服を吊り下げる方向を変更することができない。
【０００８】
従って、従来の展示装置では、洋服を支柱に対向させて水平バーに沿って並べて展示する方法が採用され、ハンガーのフックを回転することにより水平バーに対する洋服の向きを変更することも可能であるが、この場合には、展示可能な洋服の数が減少するため現実的ではなく、洋服の向きを変更することは実質的に不可能である。
【０００９】
そこで、本発明の目的は、展示物の水平バーに対する向きを変更することが容易に可能な展示装置を提供することである。
【課題を解決するための手段】
【００１０】
上記課題を解決するための手段は、展示装置が壁若しくは支柱に取り付けられる水平バーと、この水平バーの下側に垂設されるシャフトと、このシャフトの外周に回転自在に保持される筒状の回転筒と、この回転筒の外周に固定されて展示物を吊り下げる支持バーと、上記回転筒の上記シャフトに対する回転を阻止する回転防止手段とを備え、上記回転筒を回転して上記支持バーを任意の方向に向けると共に上記回転防止手段で上記支持バーの向きを維持することである。
【００１１】
この場合において、上記シャフトが上記水平バーに固定されるシャフト本体と、このシャフト本体の下側に大径に形成されるフランジ部とを備え、上記シャフト本体を上記回転筒内に挿通しながら当該回転筒を上記フランジ部で下支えすることにより、上記回転筒を回転自在に保持することが好ましい。
【００１２】
また、上記回転防止手段が上記シャフトのフランジ部上面に形成されるひとつ若しくは複数の突起と、上記回転筒の下面に設けられ上記突起に係合可能な複数の切欠きとからなり、上記切欠きの何れかを選択して上記突起を係合することにより、上記支持バーを任意の方向に向けると共に上記支持バーの向きを維持することが好ましい。
【００１３】
上記の場合において、上記支持バーが左右一対の支柱の間に架設されてなり、上記各支柱は、伸縮自在であることが好ましい。
【００１４】
同じく、上記支持バーが横方向に連続する板本体と、この板本体の上下端部に長手方向に沿って形成されて上記板本体の厚みよりも厚く形成される上下一対の膨出部とで構成され、上記両膨出部の外面が半円状に湾曲してなることが好ましい。
【発明の効果】
【００１５】
請求項１に係る発明によれば、水平バーに対して回転可能な支持バーを備え、この支持バーに展示物を吊り下げて展示することから、水平バーに対する展示物の向きを変更することが容易に可能となる。
【００１６】
請求項２に係る発明によれば、シャフトが回転筒を回転自在に保持することが容易に可能となり、シャフトの構成が簡易である。
【００１７】
請求項３に係る発明によれば、切欠きを選択して突起を係合することにより、支持バーを任意の向きに容易且つ確実に維持することが可能となる。
【００１８】
請求項４に係る発明によれば、左右の支柱を伸縮して支持バーの高さ調整をすることが可能となり、展示物の展示する高さを適宜設定することが可能となる。
【００１９】
請求項５に係る発明によれば、支持バーに文字や図柄（以下、文字等とする）を表示する場合、板本体にペイントやシール等の適宜手段により文字等を表示させることが可能となる。
【００２０】
板本体は膨出部と比較して凹んでいるため、例えば、バンガーを支持バーに吊り下げたとしてもハンガーのフックと板本体とが接触せず、板本体に表示した文字等が擦れて消えることがない。
【００２１】
また、膨出部の外面が半円状に湾曲してなることから、膨出部を介してフック等を着脱自在に取り付けることが可能となる。
【図面の簡単な説明】
【００２２】
【図１】本発明の一実施の形態を示す展示装置たるハンガーラックを拡大して示す部分拡大縦断面図である。
【図２】本発明の一実施の形態を示す展示装置たるハンガーラックを示す斜視図である。
【図３】本発明の一実施の形態を示す展示装置たるハンガーラックの要部を分解して示す部分拡大斜視図である。
【図４】本発明の一実施の形態を示す展示装置たるハンガーラックにおいて、その他のシャフト結合方法を示す部分拡大縦断面図である。
【図５】（ａ）は、本発明の一実施の形態を示す展示装置たるハンガーラックの支持バーが図２中符号Ａで示す状態にあるときのシャフトを示す拡大底面図である。（ｂ）は、本発明の一実施の形態を示す展示装置たるハンガーラックの支持バーが図２中符号Ｂで示す状態にあるときのシャフトを示す拡大底面図である。（ｃ）は、本発明の一実施の形態を示す展示装置たるハンガーラックの支持バーが図２中符号Ａで示す状態にあるときの回転筒を示す拡大底面図である。（ｄ）は、本発明の一実施の形態を示す展示装置たるハンガーラックの支持バーが図２中符号Ｂで示す状態にあるときの回転筒を示す拡大底面図である。
【図６】本発明の他の実施の形態を示す展示装置たるハンガーラックを示す斜視図である。
【図７】本発明の一実施の形態を示す展示装置たるハンガーラックの支持バーにゴルフクラブ展示部材を取り付けた状態を示す部分拡大斜視図である。
【発明を実施するための形態】
【００２３】
以下に本発明に係る一実施の形態を示す展示装置について、図面を参照しながら説明する。
【００２４】
いくつかの図面を通して付された同じ符号は、同じ部品かまたはそれに対応する部品を示す。
【００２５】
本実施の形態は、展示物たる洋服をハンガーにかけて店内に展示する展示装置たるハンガーラックに本発明を具現化したものである。
【００２６】
上記ハンガーラックは、図１に示すように、壁若しくは支柱１（図２）に取り付けられる水平バー２と、この水平バー２の下側に垂設されるシャフト３と、このシャフト３の外周に回転自在に保持される筒状の回転筒４と、この回転筒４の外周に固定されてハンガーにかけられた展示物Ｔたる洋服を吊り下げる支持バー５と、上記回転筒４の上記シャフト３に対する回転を阻止する回転防止手段とを備える。
【００２７】
そして、本発明に係るハンガーラックは、上記回転筒４を回転して上記支持バー５を任意の方向に向けると共に、上記回転防止手段で上記支持バー５の向きを維持する。
【００２８】
以下に上記ハンガーラックの各構成部品について詳細に説明する。
【００２９】
本実施の形態に係るハンガーラックは、図２に示すように、左右一対の支柱１、１と、これら支柱１、１の間に架設される水平バー２と、この水平バー２に回転自在に取り付けられてハンガーＨを吊り下げる支持バー５とを備える。
【００３０】
上記各支柱１、１は、キャスターＣを備える左右一対の脚部１０、１０と、各脚部１０上に起立する中空棒状の固定部１１と、この固定部１１内に出没自在に挿入される棒状のスライド部１２と、このスライド部１２を固定部１１の任意の位置で固定する止め具１３とからなる。
【００３１】
上記キャスターＣを備えることにより、ハンガーラックを任意の場所に移動することが容易に可能となる。
【００３２】
また、支柱１は、スライド部１２を固定部１１内に出没させることにより伸縮自在となり、止め具１３でスライド部１２を固定部１１の任意の位置で固定して展示物Ｔ（洋服）を所望の高さに配置することが可能となる。
【００３３】
上記左右の支柱１、１の間には、水平バー２と補強バー６が上下に架設されてなる。
【００３４】
上記補強バー６を備えることにより、ハンガーラックの強度を増すことが可能となるがこの限りではなく、必ずしも補強バー６を設ける必要はない。また、補強バー６を左右の脚部１０、１０の間に架設するとしても、複数設けるとしても良い。
【００３５】
上記水平バー２は、図１、３に示すように、中空の角柱状に形成されてなり、支持バー５を回転自在に保持するシャフト３が垂直に固定されている。
【００３６】
本実施の形態において、上記水平バー２は、上面に穿設されたボルト挿通孔２０と、下面に穿設されて上記ボルト挿通孔２０と対向するシャフト挿通孔２１とを備え、このシャフト挿通孔２１内にシャフト３の上部を挿入して溶接し、次いでボルト挿通孔２０から挿入したボルトＤをシャフト３に螺合することにより、水平バー２の下側にシャフト３を垂設している。
【００３７】
上記方法でシャフト３を水平バー２に固定することにより、水平バー２とシャフト３との結合を強固にすることが可能となるがこの限りではなく、適宜結合方法を選択することが可能である。
【００３８】
例えば、図４に示すように、ナット部材Ｎを介してシャフト３を水平バー２に固定するとしても良い。
【００３９】
上記ナット部材Ｎは筒状に形成されてなり、上側に位置してボルトＤを支えるガイド部Ｎ１と、このガイド部Ｎ１の下側に連設されて内周に螺子溝を備える結合部Ｎ２とからなる。
【００４０】
そして、先ず上記水平バー２のシャフト挿通孔２１内にナット部材Ｎを挿入して溶接し、同ボルト挿通孔２０からボルトＤを挿入してナット部材Ｎに螺合する。
【００４１】
次いで、ナット部材Ｎの下端から突出するボルトＤの先端部にシャフト３を螺合することにより、上記水平バー２にシャフト３を固定することが可能となる。
【００４２】
また、図示しないが、シャフト３の上端面を水平バー２の下端面に溶接しても良い。
【００４３】
また、同じく図示しないが、シャフト３の上部を上記シャフト挿通孔２１から水平バー２内に挿入してボルト挿通孔２０から突出させて、水平バー２の上下と溶接しても良く、その他の方法により水平バー２にシャフト３を固定しても良い。
【００４４】
上記水平バー２に固定されるシャフト３は、図１、３に示すように、水平バー２に固定される棒状のシャフト本体３０と、このシャフト本体３０の下側に大径に形成されるフランジ部３１とを備えてなる。
【００４５】
そして、上記シャフト本体３０を回転筒４内に挿通しながら当該回転筒４をフランジ部３１で下支えすることにより、回転筒４を回転自在に保持する。
【００４６】
上記シャフト本体３０は、図３に示すように、筒状に形成される筒部３０ａと、この筒部３０ａの下側に延設されながら同じく筒状に形成されて内周に螺子溝を有するボルト結合部３０ｂと、このボルト結合部３０ｂの下側に延設されて円柱状の円柱部３０ｃとからなり、筒部３０ａとボルト結合部３０ｂと円柱部３０ｃは一体的に形成されると共に等しい外径を備える。
【００４７】
上記フランジ部３１は、上記円柱部３０ｃの下端に同軸上に結合されて上記シャフト３０よりも大径の円柱状に形成されてなり、その上面には対角線上に配置される一対の突起３ａ、３ａが形成される。
【００４８】
上記フランジ部３１の上面とは、上記フランジ部３１の図中上方に位置する面のうち、シャフト３０との接合面を除いた部分をいうものである。
【００４９】
シャフト３が上記構成を備えることにより、回転筒４がフランジ部３１で抜け止めされると共に下支えされることから、回転筒４をシャフト３の回りに回転自在に保持することが容易に可能となり、シャフト３の構成が簡易である。
【００５０】
尚、上記シャフト本体３０とフランジ部３１とをボルト固定することにより、先ずシャフト本体３０を水平バー２に固定し、次いでシャフト本体３０に回転筒４を挿通し、次いでフランジ部３１をシャフト本体３０にボルト固定して回転筒４の抜け止めをすることが可能となり、ハンガーラックの組み立てが容易に可能となる。
【００５１】
また、シャフト本体３０とフランジ部３１とを一体的に形成しても良い。
【００５２】
上記シャフト３に回転自在に保持される回転筒４は、筒状に形成されてなり、その下面に四つの切欠き４ａがそれぞれ９０度の角度をもって周方向に配置される。
【００５３】
そして、上記切欠き４ａとシャフト３の突起３ａとで回転防止手段を構成し、突起３ａに切欠き４ａを係合することによりシャフト３に対する回転筒４の回転を阻止する。
【００５４】
図１には、突起３ａに切欠き４ａを係合して回転筒４が回り止めされた状態を示す。
【００５５】
一方、回転筒４を回転する場合、図示しないが、回転筒４をシャフト３の軸方向にスライドさせて突起３ａと切欠き４ａとの係合を解除するとすれば良い。
【００５６】
つまり、回転筒４は、回転筒４自身の重さと支持バー５及び支持バー５に吊り下げられる展示物Ｔの重さによりシャフト３のフランジ部３１から浮き上がることがなく、突起３ａと切欠き４ａとの係合を容易且つ確実に維持することが可能となる。
【００５７】
本実施の形態において、ハンガーラックを正面視したとき、突起３ａは、図５（ａ）、（ｂ）に示すように、シャフト３のフランジ部３１の左右に相対向して設けられる。
【００５８】
同じく、切欠き４ａは、図５（ｃ）、（ｄ）に示すように、左右の支持バー５と対応する位置に二つ（以下、支持バー側の切欠き）と、この二つの切欠きからそれぞれ９０度の角度を持って二つ（反支持バー側の切欠き）形成され、計四つの切欠きが各々９０度の角度を持って回転筒４の下面に周方向に配置される。
【００５９】
従って、図２中Ａに示すように、水平バー２と支持バー５とを平行に配置する場合には、図５（ｃ）に示す状態に回転筒４を配置して、支持バー５側の切欠き４ａ、４ａと突起３ａ、３ａとを係合すればよい。
【００６０】
一方、図２中Ｂに示すように、水平バー２と支持バー５とを垂直に配置する場合には、図５（ｄ）に示す状態に回転筒４を配置して、反支持バー５側の切欠き４ａ、４ａと突起３ａ、３ａとを係合すればよい。
【００６１】
上記突起３ａ及び切欠き４ａとからなる回転防止手段を備えることにより、図２中Ａに示すように展示物Ｔたる洋服を横方向に並べて展示したり、図２中Ｂに示すように展示物Ｔたる洋服を前後方向に並べて展示したりすることを選択できる。
【００６２】
また、回転筒４を回転することにより、展示物Ｔを吊り下げる支持バー５の向きを変更することが可能となることから、水平バー２に対する支持バー５の向きが変わり、水平バー２に対する展示物Ｔを吊り下げる向きを変更することが可能となる。
【００６３】
更に、上記構成を備えることにより、水平バー２に対する展示物Ｔの向きを変更することが容易に可能となり、展示物Ｔの向きを変更しても従来の展示装置のように展示可能な展示物Ｔの数量が減少することがない。
【００６４】
尚、上記回転防止手段を備えることにより、支持バー５の向きが上記回転防止手段によって位置決めされて、展示物Ｔを前後左右の四方向に向けて展示することが可能となるが、上記の限りではなく、回転防止手段の構成を適宜変更することが可能である。
【００６５】
例えば、本実施の形態に係る回転防止手段は、シャフト３のフランジ部３１に形成される突起３ａと回転筒４の下面に形成される切欠き４ａとからなるとしているが、フランジに切欠きを設け回転筒４に突起を設けるとしても良い。
【００６６】
また、シャフト３のフランジ部３１と回転筒４の下面との間にゴム部材を介装し、このゴム部材の摩擦力で回転筒４のシャフト３に対する回転を阻止しても良い。
【００６７】
また、本実施の形態において、突起３ａを二つ、切欠き４ａを四つ設けたものを示すが、上記突起３ａの数はひとつ以上であれば良く、上記切欠き４ａの数は、上記突起３ａの数及び展示物Ｔを向けたい方向に応じて適宜数量を設けるとすれば良い。
【００６８】
また、シャフト３のフランジ部３１の上面に鋸歯状の歯を形成し、回転筒４の下面に上記歯と係合する溝を形成して、上記歯と溝を係合することにより展示物Ｔ（支持バー５）の向きを多段階に調整可能である。
【００６９】
また、回転防止手段をシャフト３のフランジ部３１の上面及び回転筒４の下面以外の位置に具現化するとしても良い。
【００７０】
図２中に実施の形態において、上記回転防止手段は、回転筒４が水平バー２に対して支持バー５を平行に配置するポジションと、水平バー２に対して支持バー５を垂直に配置するポジションの二つのポジションを取ることを可能にして、ハンガーラックは二本の回転筒４を備えるため、２ポジション×２本で四通りの展示方法を選択することが可能であるがこの限りではなく、上記ポジションの数と回転筒４の数を変更することにより、ハンガーラックの展示方法を適宜設定することが可能である。
【００７１】
例えば、図６に示すように、二つのポジションを備える上記回転手段と、一本の回転筒４とを備え、二通りの展示方法を選択することが可能なハンガーラックとしても良い。
【００７２】
上記回転筒４に保持される支持バー５は、回転筒４の外周に回転筒４の軸に対して垂直に結合され、本実施の形態においては、二本の支持バー５、５が回転筒４を介して直列に配置される。
【００７３】
上記支持バー５は、図３に示すように、横方向に連続する板本体５０と、この板本体５０の上下端部に長手方向に沿って形成されて上記板本体５０の厚みよりも厚く形成される上下一対の膨出部５１、５１とで構成され、上記両膨出部５１、５１の外面が半円状に湾曲してなる。
【００７４】
上記板本体５０の厚みとは、図３中５０ａで示す表面と図３中５０ｂで示す背面との距離をいい、上記膨出部５１の厚みとは図３中最も正面側に突出する５１ａと図３中最も背面側に突出する５１ｂとの距離をいうものである。
【００７５】
上記構成を備えることにより、板本体５０にペイントやシール等により店名、商品名やロゴなどの文字等を表示することが可能となる。
【００７６】
また、板本体５０表面は、膨出部５１、５１よりも奥側に配置されるため、ハンガーＨを支持バー５に吊り下げたとしてもハンガーのフックと板本体５０とが接触せず、板本体に表示した文字等が擦れて消えることがない。
【００７７】
また、上記膨出部５１が湾曲してなることにより、この膨出部５１を介してフック等を着脱自在に係合することが容易に可能となる。
【００７８】
上記支持バー５の構成は、例えば、図７に示すように、ゴルフクラブを吊り下げて保持するゴルフクラブ展示部材７を利用する際に有効である。
【００７９】
このゴルフクラブ展示部材７は、展示物Ｔたるゴルフクラブを引っ掛けて保持する保持部７０と、この保持部７０を支えるバー７１と、このバー７１を支持バー５に対して垂直に固定するフック７２とからなる。
【００８０】
そして、上記フック７２は、上記バー７１が正面側に固定される連結片７２ａと、この連結片７２ａの上下端部から背面側に延設される上下一対の爪７２ｂ、７２ｂとからなる。
【００８１】
上記構成を備えることにより、支持バー５の膨出部５１、５１の湾曲に従いフック７２を回転させながらゴルフクラブ展示部材７を支持バー５に着脱することが可能となる。
【００８２】
尚、図３中には、上記板本体５０と上下の膨出部５１が一体的に形成されると共に、支持バー５が中空に形成された状態を示し、当該構成を備えることによりハンガーラックを軽量化することが可能となるが支持バー５を中実に形成するとしても良い。
【００８３】
また、支持バー５の形状及び本数は上記の限りではなく、適宜選択することが可能である。
【００８４】
以上、本発明の一実施の形態を詳細に説明したが、特許請求の範囲から逸脱することなく改造、変形及び変更を行うことができることは理解すべきである。
【００８５】
図１から図５には、本発明に係る展示装置をハンガーラックに具現化し洋服を展示した状態を示すがこの限りではなく、例えば、図７に示すように、他の展示物を展示する展示装置に本発明を具現化しても良いことは勿論である。
【符号の説明】
【００８６】
Ａ  支持バーを水平バーに平行に配置した状態
Ｂ  支持バーを水平バーに垂直に配置した状態
Ｃ  キャスター
Ｄ  ボルト
Ｈ  ハンガー
Ｔ  展示物
１  支柱
２  水平バー
３  シャフト
３ａ  突起
４  回転筒
４ａ  切欠き
５  支持バー
６  補強バー
７  ゴルフクラブ展示部材
１０  脚部
１１  固定部
１２  スライド部
１３  止め具
２０  ボルト挿通孔
２１  シャフト挿通孔
３０  シャフト本体
３１  フランジ部
５０  板本体
５１  膨出部
【図１】
2011147597.tif 000003
【図２】
2011147597.tif 000004
【図３】
2011147597.tif 000005
【図４】
2011147597.tif 000006
【図５】
2011147597.tif 000007
【図６】
2011147597.tif 000008
【図７】
2011147597.tif 000009